(57)【要約】【課題】良好な撮影画像を得るために撮影画像中において確認すべきポイントを促す。【解決手段】撮影後、その撮影画像の画像データが生成されると、撮影画像に対してプレ表示用にサイズ調整及びトリミング等の所定の画像処理が行われ、確認画像が生成される。次いで、ＤＶＤからプレ表示用に予めポイント情報及びマーカ情報が配置された操作画面のフォーマットデータが読み出され、当該フォーマットデータに確認画像が合成されて、撮影画像を確認するための操作画面ｄ３が表示される。操作画面ｄ３において、確認画像ｄ３１とともに「目を閉じていませんか」、「服装は乱れていませんか」等の撮影画像の良否を判断する際の確認ポイントを示すポイント情報ｄ３２が表示されている。また、各ポイント情報ｄ３２により注目すべき位置を示す矢印及び丸の図形によるマーカ情報ｄ３２が表示されている。【選択図】図５
2006106553.tif 000002
【特許請求の範囲】
【請求項１】
顧客による操作指示に従って、顧客を撮影し、その撮影画像をプリント出力する写真撮影装置において、
プリント出力前に撮影画像を表示する表示手段と、
前記表示手段上に撮影画像を表示する際に、撮影画像中における確認ポイントを示すポイント情報を撮影画像とともに表示させる表示制御手段と、
を備えることを特徴とする写真撮影装置。
【請求項２】
前記表示制御手段は、前記ポイント情報とともに確認すべき位置を示すマーカ情報を表示させることを特徴とする請求項１に記載の写真撮影装置。
【請求項３】
前記表示制御手段は、前記ポイント情報とともに不適切な撮影画像例を示すサンプル画像を表示させることを特徴とする請求項１又は２に記載の写真撮影装置。
【発明の詳細な説明】
【技術分野】
【０００１】
本発明は、パスポートや履歴書等に使用される証明写真や、ポートレート、記念写真等を撮影する写真撮影装置に関する。
【背景技術】
【０００２】
従来から、免許証やパスポート、履歴書等に貼付する証明写真等を撮影するためのボックス型の写真撮影装置が普及しており、街頭や店頭に設置されている。このような写真撮影装置では、撮影ボックス内に顧客が入り、ガイドに従って顧客自らが撮影操作を行うことにより、簡単にかつ短時間でプリント写真を得ることができる。
【０００３】
近年では、顧客の満足度を高めるため、撮影画像にタッチペンで入力された手書き画像を合成できるように構成された写真撮影装置も開発されている。合成時には、入力された手書き画像を撮影画像とともにプレ表示するので、顧客はその手書き画像及び撮影画像の仕上がりをプリント前に確認することができる（例えば、特許文献１、２参照）。
【０００４】
また、上記写真撮影装置では、顧客自らの判断で撮影が行われるため、顧客が正面を向いていない、目つぶりしている等の場面が想定され、このような証明写真として不適切な写真が撮影された場合に対応して、撮り直しができるように構成されている。
【特許文献１】特開２００２−２５２８２２号公報
【特許文献２】特開２０００−１４７６４１号公報
【発明の開示】
【発明が解決しようとする課題】
【０００５】
撮り直し機能を備えている場合、プリント前に一旦撮影された画像がプレ表示され、顧客はこの撮影画像を確認後、この撮影画像でよければプリント、撮影し直す場合は再撮影を選択することができる。しかし、顧客は主に撮影画像の顔に注目してしまい、撮影画像が本人のものであると確認でき、かつ表情がおおむね良好であれば、即時にプリントを選択してしまうことが多かった。そして、後にプリントされた写真を見て、服装が乱れている、体が傾斜している、影ができている等、証明写真として不適切であることに気づくことが多かった。
【０００６】
本発明の課題は、良好な撮影画像を得るために撮影画像中において確認すべきポイントを促すことができる写真撮影装置を提供することである。
【課題を解決するための手段】
【０００７】
請求項１に記載の発明は、写真撮影装置において、
顧客による操作指示に従って、顧客を撮影し、その撮影画像をプリント出力する写真撮影装置において、
プリント出力前に撮影画像を表示する表示手段と、
前記表示手段上に撮影画像を表示する際に、撮影画像中における確認ポイントを示すポイント情報を撮影画像とともに表示させる表示制御手段と、
を備えることを特徴とする。
【０００８】
請求項２に記載の発明は、請求項１に記載の写真撮影装置において、
前記表示制御手段は、前記ポイント情報とともに確認すべき位置を示すマーカ情報を表示させることを特徴とする。
【０００９】
請求項３に記載の発明は、請求項１又は２に記載の写真撮影装置において、
前記表示制御手段は、前記ポイント情報とともに不適切な撮影画像例を示すサンプル画像を表示させることを特徴とする。
【発明の効果】
【００１０】
請求項１に記載の発明によれば、プリント出力前に撮影画像を表示し、併せてポイント情報を表示するので、顧客に対して確認すべきポイントに注目するよう促すことができる。これにより、顧客は、撮影画像とともに表示されたポイント情報を参照することにより、撮影画像中において確認すべきポイントを容易に把握することができる。
【００１１】
請求項２に記載の発明によれば、ポイント情報とともにマーカ情報を表示するので、撮影画像中のどの位置に注目すべきかを顧客に対して促すことができる。顧客は、表示されたポイント情報について撮影画像中のどの位置を参照すべきかをマーカ情報により容易に把握することができる。
【００１２】
請求項３に記載の発明によれば、ポイント情報とともにサンプル画像を表示するので、不適切な撮影画像例により、顧客に対して撮影画像の良否判断を行うよう、注意を促すことができる。
【発明を実施するための最良の形態】
【００１３】
本実施形態では、撮影画像の良否を判断する際の確認ポイントを示すポイント情報を予め記憶しておき、撮影画像をプリントする際には、プリント出力前に撮影画像を前記ポイント情報とともにプレ表示する例を説明する。
【００１４】
まず、構成を説明する。
図１に、本実施の形態における写真撮影装置１００を示す。
図１において、写真撮影装置１００はボックス型に形成されており、その外壁にはプリントされた写真を取り出す取出口７１が設置されており、ボックス内部（以下、撮影室という）には、被撮影者Ｍが座れるように椅子Ｃが回転可能に設置されている。なお、椅子Ｃは回転により昇降可能に構成されている。さらに、被撮影者Ｍの正面には、操作手順やその他撮影に関する操作画面、撮影画像等を表示する表示部４０、操作指示するための操作部６０、被撮影者Ｍである顧客が撮影室内に入室したことを検出するためのセンサＳ、撮影料金を精算するためのコインメック５０が設置されている。
【００１５】
図２に、写真撮影装置１００の内部構成を示す。
図２に示すように、写真撮影装置１００は、本体部１０、ストロボユニット２０、デジタルカメラ３０、表示部４０、コインメック５０、操作部６０、プリンタ部７０、通信部８０、センサＳを備えて構成されている。
【００１６】
本体部１０は、制御部１１、Ｉ／Ｏコントロール１２、ＲＯＭ（Read Only Memory）１３、ＲＡＭ（Random Access Memory）１４、ＤＶＤ（Digital Versatile Disk-R）１５、Ｉ／Ｆ１６から構成されており、Ｉ／Ｏコントロール１２を介してストロボユニット２０、コインメック５０、操作部６０に接続されるとともに、Ｉ／Ｆ１６を介してプリンタ部７０に接続されている。
【００１７】
制御部１１は、ＲＯＭ１３に記憶されているシステムプログラムや本発明に係る撮影プリント処理プログラム（図３参照）等の各種プログラムを読み出してＲＡＭ１４に展開し、当該プログラムに従って各部の動作を集中制御する。また、制御部１１は、画像処理プログラムとの協働により、撮影画像に対し、階調変換処理、鮮鋭性強調処理、トリミング、サイズ調整等の各種画像処理を施す画像処理機能を有している。
【００１８】
撮影プリント処理では、操作画面及びアナウンス音声のデータをＤＶＤ１５から読み出して順次操作画面を表示部４０に表示させるとともに、表示中の操作画面に応じたアナウンス音声をスピーカ５５から出力させる。また、操作画面においてプリント条件が選択操作されると、当該選択されたプリント条件の情報をＲＡＭ１４に一時記憶させて設定する。さらに、撮影指示の操作がなされると、ストロボユニット２０及びデジタルカメラ３０を制御して撮影を行わせる。そして、撮影画像のデータが生成されると、ＤＶＤ１５からポイント情報が予め設定された操作画面のフォーマットデータを読み出し、確認用に画像処理した撮影画像を当該フォーマットに合成して表示部４３上に表示させる。そして、プリント出力が指示されると、所定のプリントフォーマット上にプリント出力用に画像処理を施した処理画像を合成したプリントデータを生成し、プリンタ部７０に出力する。すなわち、撮影プリント処理プログラムと制御部１１との協働により、表示制御手段を実現することができる。
【００１９】
Ｉ／Ｏコントロール１２は、本体部１０と、ストロボユニット２０、コインメック５０及び操作部６０との間で情報のやり取りを仲介するインターフェイスであり、制御部１１からの制御信号をストロボユニット２０、コインメック５０に送信するとともに操作部６０からの操作信号を制御部１１に送信する。
【００２０】
ＲＯＭ１３は、システムプログラムの他、撮影プリント処理プログラム等の各種制御プログラム及び各プログラムで処理されたデータ等を記憶する。
【００２１】
ＲＡＭ１４は、制御部１１によって実行される各種プログラム及びこれらプログラムに係るデータを一時的に記憶するワークエリアを形成する。また、ＲＡＭ１４は、デジタルカメラ３０により撮影された撮影画像の画像データを一時的に記憶するエリアを有する。
【００２２】
ＤＶＤ１５は、デジタルカメラ３０により撮影された撮影画像（原画像）の画像データを記憶するとともに、制御部１１により各種画像処理が施された処理画像の画像データを記憶する。
また、料金案内、プリント条件の設定等の各種操作画面の画像データを記憶するとともに、各操作画面におけるガイドアナウンス音声の音データを記憶している。
また、撮影画像の表示位置が設定されたプレ表示用の操作画面のフォーマットデータを記憶している。このフォーマットでは、撮影画像の良否を判断する際の確認ポイントを示すポイント情報、ポイント情報とともに注目すべき位置を示すマーカ情報が撮影画像の表示位置に対応するように配置されており、このフォーマットデータに撮影画像を合成することにより、撮影画像とともにポイント情報及びマーカ情報が表示されたプレ表示用の操作画面のデータを生成することができる。
【００２３】
Ｉ／Ｆ１６は、本体部１０と、プリンタ部７０との間で情報のやり取りを仲介するインターフェイスであり、制御部１１で生成されたプリントデータを本体部１０からプリンタ部７０へ送信する。
【００２４】
ストロボユニット２０は、制御部１１からの制御信号に従って、撮影室内の各部に設置されたストロボ２０ａの発光タイミングや発光量を制御する。
【００２５】
デジタルカメラ３０は、光学レンズ、ＣＣＤ（Charge Coupled Device）等の光学センサ、Ａ／Ｄ変換部等から構成される撮影手段であり、光学レンズを介して入力される被写体像を光学センサにより光電変換して画像信号を生成する。そして、Ａ／Ｄ変換部によりアナログ画像信号からデジタル画像データを得て、当該デジタル画像データを本体部１０に出力する。なお、デジタルカメラに代えて動画を記録可能なデジタルビデオカメラを撮影手段として適用することとしてもよい。
【００２６】
表示部４０は、ＬＣＤ（Liquid Crystal Display）等を備えて構成される表示手段であり、制御部１１の指示に従って操作画面を表示したり、撮影画像のプレ表示を行う。
【００２７】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返金口に排出する。
【００２８】
スピーカ５５は、入力される音データに基づいてガイドアナウンス音声等を出力する音出力手段である。
【００２９】
操作部６０は、表示部４０と一体的に構成されるタッチパネルや、撮影室の内壁に設けられた選択ボタン、撮影ボタン等の各種機能ボタンを備えて構成され、押下されたボタンに対応する操作信号を制御部１１に出力する。
【００３０】
プリンタ部７０は、制御部１１から入力されるプリントデータに基づいてプリント出力を行うプリント手段である。本実施形態では、プリント方式として、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３１】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力させたり、ホストサーバに画像データを転送して画像登録したりすることができる。
【００３２】
センサＳは、顧客が撮影室に入室したことを検出するものであり、顧客の入室を検出するとその検出信号を制御部１１に出力する。センサＳとしては、発光器と受光器とからなる光学式センサ等が適用可能である。
【００３３】
次に、本実施形態における写真撮影装置１００の動作について説明する。
図３は、写真撮影装置１００により実行される撮影プリント処理を説明するフローチャートであり、図４及び図５は撮影プリント処理中に表示される操作画面例を示す図である。
【００３４】
図３に示す撮影プリント処理では、まずセンサＳから入力される検出信号に基づいて、顧客が撮影室に入室したか否かが制御部１１において判別され（ステップＳ１）、入室したと判別されると（ステップＳ１；Ｙ）、表示部４０に撮影料金の料金ガイドを行う操作画面が表示される。顧客は、操作画面のガイドに従って規定の撮影料金をコインメック５０の入金口に投入する。
【００３５】
撮影料金が投入されると、コインメック５０において料金精算処理が行われ（ステップＳ２）、釣銭が有る場合は釣銭が返金口に排出される。次いで、表示部４０にプリント条件を選択操作するための操作画面（図４（ａ）参照）が表示される。図４（ａ）に示す操作画面ｄ１の例では、免許証用、履歴書用、パスポート用、大型用にプリントサイズ等のプリント条件が予め定められた４つのプリントタイプが選択的に表示されている。顧客がこの操作画面ｄ１において所望するプリントタイプを選択すると、写真撮影装置１００では選択されたプリントタイプに応じたプリント条件が設定される（ステップＳ３）。
【００３６】
プリント条件が設定されると、次に撮影操作についての操作画面（図４（ｂ）参照）が表示部４０上に表示される。図４（ｂ）に示す操作画面ｄ２の例では、撮影に関する注意書きが表示されているとともに、撮影ボタンｄ２１が表示されている。顧客は撮影準備を行い、この操作画面ｄ２において撮影ボタンｄ２１を押下操作すると、写真撮影装置１００では、ストロボユニット２０の制御によりストロボ２０ａが発光されるとともに、デジタルカメラ３０において撮影が行われる（ステップＳ４）。
【００３７】
撮影後、その撮影画像の画像データが生成されると、撮影画像に対してプレ表示用にサイズ調整及びトリミング等の所定の画像処理が行われ、その処理画像（以下、確認画像という）が生成される（ステップＳ５）。次いで、ＤＶＤ１５からプレ表示用に予めポイント情報及びマーカ情報が配置された操作画面のフォーマットデータが読み出され、当該フォーマットデータに確認画像が合成されて、図５（ａ）に示すような撮影画像を確認するための操作画面が表示される（ステップＳ６）。
【００３８】
図５（ａ）に示す例では、操作画面ｄ３において、確認画像ｄ３１とともに「目を閉じていませんか」、「服装は乱れていませんか」等の撮影画像の良否を判断する際の確認ポイントを示すポイント情報ｄ３２が表示されている。また、各ポイント情報ｄ３２により注目すべき位置を示す矢印及び丸の図形によるマーカ情報ｄ３２が表示されている。また、この操作画面ｄ３の表示に合わせて、ポイント情報について説明するアナウンス音声がスピーカ５５から出力される。なお、ポイント情報及びマーカ情報の表示位置は、例えば、確認画像の上端部から３００画素の位置に、目つぶりに関するポイント情報及びそのマーカ情報を表示する等、確認画像の表示位置に対応するように予めフォーマットデータにおいて設定されているものとする。
【００３９】
なお、マーカ情報ｄ３２を表示せず、図５（ｂ）に示す操作画面ｄ４の例のように、確認画像ｄ３１に隣接して不適切な撮影画像例を示すサンプル画像ｄ４１を表示することとしてもよい。この場合、不適切な例をパターンで認識することができ、顧客が確認ポイントについて把握しやすくなる。また、確認画像ｄ３１上にマーカ情報ｄ３２が重ねられていないので、顧客が確認画像ｄ３１を確認しやすくなる。
【００４０】
また、図６に示す操作画面ｄ５の例のように、顧客が確認ポイントについて確認しやすくするような補助情報ｄ３６を表示させることとしてもよい。補助情報ｄ３６としては、例えば顧客が撮影画像中における位置を確認しやすいように確認画像ｄ３１上にそれぞれ水平方向、垂直方向における中心線を表示させる。同様に、補助情報ｄ３６として、顧客が服装の乱れや姿勢を修正する際にその修正すべき方向を把握できるように「壁側」、「カーテン側」と、撮影画像と顧客とを対照させて方向を示す説明書きを表示させることとしてもよい。
【００４１】
顧客は、この操作画面ｄ３において、マーカ情報ｄ３２により示された位置においてポイント情報ｄ３２により示された確認ポイントに注目しながら確認画像ｄ３１を観察し、撮影画像の良否を判断する。そして、良好な撮影画像ではないと判断した場合は撮り直しボタンｄ３４を押下し、良好な撮影画像であると判断した場合はプリントボタンｄ３５を押下する。
【００４２】
写真撮影装置１００では、撮り直しボタンｄ３４とプリントボタンｄ３５の何れが操作されたかが判別され（ステップＳ７）、撮り直しボタンｄ３４が押下された場合は（ステップＳ７；撮り直し）、ステップＳ４の処理に戻り、再度撮影が行われる。一方、プリントボタンｄ３５が押下された場合は（ステップＳ７；プリント）、撮影画像に対し、ステップＳ３で設定されたプリント条件に従って、プリント出力用に階調変換処理、トリミング、サイズ調整等の各種画像処理が施され、当該処理画像のプリントデータが生成される（ステップＳ８）。生成されたプリントデータはプリンタ部７０に出力され、プリンタ部７０ではプリントデータに基づくプリント出力が行われる（ステップＳ９）。そして、プリント出力されたプリント写真が取出口７１に排出されると、本処理を終了する。
【００４３】
以上のように、本実施形態によれば、プリント出力前に撮影画像をプレ表示し、併せて撮影画像の良否を判断する際の確認ポイントを示すポイント情報を表示する。よって、顧客はポイント情報を参照することにより、撮影画像の確認時に注目すべきポイントを容易に把握することができる。
【００４４】
また、ポイント情報とともに、ポイント情報により注目すべき位置を示すマーカ情報を表示させるので、顧客は各ポイント情報についてどの位置を参照すべきであるのかを容易に把握することができる。
【図面の簡単な説明】
【００４５】
【図１】本実施の形態における写真撮影装置１００を示す図である。
【図２】写真撮影装置１００の内部構成を示す図である。
【図３】写真撮影装置１００により実行される撮影プリント処理を説明するフローチャートである。
【図４】操作画面例を示す図である。
【図５】ポイント情報及びマーカ情報の表示例を示す図である。
【図６】補助情報の表示例を示す図である。
【符号の説明】
【００４６】
１００    写真撮影装置
１０    本体部
１１    制御部
１２    Ｉ／Ｏコントロール
１３    ＲＯＭ
１４    ＲＡＭ
１５    ＤＶＤ
１６    Ｉ／Ｆ
２０    ストロボユニット
２０ａ    ストロボ
３０      デジタルカメラ
４０    表示部
５０    コインメック
５５    スピーカ
６０    操作部
７０    プリンタ部
８０    通信部
【図１】
2006106553.tif 000003
【図２】
2006106553.tif 000004
【図３】
2006106553.tif 000005
【図４】
2006106553.tif 000006
【図５】
2006106553.tif 000007
【図６】
2006106553.tif 000008